(57)【要約】      （修正有）【課題】電子機器を充電する自充電器において人体との接触から充電端子を保護し、電子機器の載置動作に連動して充電端子が孔から露出する方向に移動する端子カバーと端子カバーを保持するカバー保持機構を提供する。【解決手段】自充電器１１に電子機器が載置されると、充電端子１５が孔１４から露出する方向に端子カバー１３が移動する端子カバーと端子カバーを保持するカバー保持機構構造を有し、端子カバーが充電端子を露出するための孔１４を設ける。これにより、電子機器載置時にのみ端子カバーが移動し、充電端子が端子カバーの孔から露出し電子機器の受電端子に接触するため充電でき、電子機器を外したときには端子カバーが元の場所に戻ることで、充電端子を人体との接触から保護できる様になる。【選択図】図２
0003173185.tif 000002
【実用新案登録請求の範囲】
【請求項１】
電子機器を充電する機器の充電端子部の構造であって、
前記電子機器が備える受電端子と接触する充電端子と、前記充電端子を露出するための孔を有する端子カバーと、前記端子カバーを保持するカバー保持機構と、を有し、
前記カバー保持機構は、前記電子機器が載置された場合に、前記電子機器の載置動作に連動して、前記充電端子が前記孔から露出する方向に前記端子カバーが移動し、前記載置された電子機器が取り外された場合に、前記充電端子が前記孔から露出しない方向に前記端子カバーが移動する構造であることを特徴とする端子カバー移動機構を有する充電端子部の構造。  
【考案の詳細な説明】
【技術分野】
【０００１】
本考案は、充電機器における充電端子部の構造に関するものである。
【背景技術】
【０００２】
従来の自充電器における充電端子部の構造は、常に充電端子が露出している状態であり、人体との接触によって充電端子に異物が固着して接触不良が発生し易いという欠点があった。
これを改善する技術として、充電される電子機器側の受電端子と自充電器側の充電端子を摺動させて異物を掻き出すことにより、接触不良を防止する技術がある（例えば特許文献１）。
【先行技術文献】
【特許文献】
【０００３】
【特許文献１】特開平０８−０９７８９０号公報
【考案の概要】
【考案が解決しようとする課題】
【０００４】
しかしながら、特許文献１に記載された自充電器は充電端子が露出しており、人体との接触によって充電端子に異物が固着し、充電が不可能となる可能性がある。
【０００５】
そこで、本考案の課題は、自充電器において人体との接触から充電端子を保護し、電子機器の載置時にのみ、充電端子を露出させる充電端子部の構造を着脱性を阻害せずに提供することにある。
【課題を解決するための手段】
【０００６】
上記の課題を解決するために本考案は、電子機器を充電する機器の充電端子部の構造であって、前記電子機器が備える受電端子と接触する充電端子と、前記充電端子を露出するための孔を有する端子カバーと、前記端子カバーを保持するカバー保持機構と、を有し、前記カバー保持機構は、前記電子機器が載置された場合に、前記電子機器の載置動作に連動して、前記充電端子が前記孔から露出する方向に前記端子カバーが移動し、前記載置された電子機器が取り外された場合に、前記充電端子が前記孔から露出しない方向に前記端子カバーが移動する構造であることを特徴とする。
【考案の効果】
【０００７】
本考案によれば、電子機器の非載置時には自充電器の端子カバーによって充電端子を保護し、載置時には電子機器による載置動作と連動して端子カバーが充電端子を露出させる方向に移動し、電子機器を充電できる。よって、自充電器において人体との接触から充電端子を保護し、電子機器の載置時にのみ、充電端子を露出させる充電端子部の構造を着脱性を阻害せずに提供することができる。
【図面の簡単な説明】
【０００８】
【図１】本考案による一実施例である電子機器非載置状態を示す図
【図２】図１のＡ−Ａ線に沿った充電端子保護状態における充電器筐体の断面図
【図３】本考案による一実施例である電子機器載置状態を示す図
【図４】図３のＢ−Ｂ線に沿った充電端子接続状態における充電器筐体の断面図
【図５】図４のＣ部拡大図
【考案を実施するための形態】
【０００９】
以下、図面を参照して本考案の実施の形態について詳細を説明する。
【００１０】
図１は、本考案による一実施例である電子機器非載置状態を示す図であり、コードレス電話機を例として説明する。１１は充電器筐体、１２はリブ、１３は端子カバー、１４は孔である。充電器筐体１１は、リブ１２を有するため、電話機筐体を載置するとき、載置方向を矯正する。載置方向が充電器筐体１１に対して明らかに誤っている場合、載置が不可能な構造となっている。端子カバー１３は、充電端子部に対応する孔１４がある。
【００１１】
図２は、図１のＡ−Ａ線に沿った充電端子保護状態における充電器筐体の断面図である。１１は充電器筐体、１３は端子カバー、１４は孔、１５は充電端子、１６はバネである。電子機器非載置状態において、充電端子１５は端子カバー１３の孔１４の内部に納まっている。
【００１２】
図３は、本考案による一実施例である電子機器載置状態を示す図であり、１１は充電器筐体、２１は電子機器筐体である。
【００１３】
図４は、図３のＢ−Ｂ線に沿った充電端子接続状態における充電器筐体の断面図である。１１は充電器筐体、２１は電子機器筐体である。
【００１４】
図５は、図４のＣ部拡大図である。１１は充電器筐体、１３は端子カバー、１４は孔、１５は充電端子、１６はバネ、２１は電子機器筐体、２２は受電端子である。充電器筐体１１に電子機器筐体２１を載置することによって、図５に示すように電子機器が自重によって、端子カバー１３を押しながら載置されると、端子カバー１３は充電端子１５が孔１４から露出する方向に移動し、端子カバー１３の孔１４から充電端子１５が露出し、受電端子２２に接触し、充電が可能となる。
【００１５】
また、充電後に電子機器筐体２１を充電器筐体１１から外すと端子カバー１３はバネ１６の反力によって端子カバー１３を元の位置に戻す。端子カバー１３が元の位置に戻ることによって充電端子１５は端子カバー１３に覆われ、図２の状態に戻る。この機構を用いることで非充電時には端子カバー１３によって充電端子１５を外部から保護するため、自充電器において人体との接触から充電端子１５を保護し、電子機器の載置時にのみ、充電端子を露出させる充電端子部の構造を着脱性を阻害せずに提供することができる。
【００１６】
上記はあくまでも一実施例であり、電子機器の着脱動作に連動して端子カバーの移動が出来ていれば良く、端子カバーの移動に発条、機能性流体等を用いることもある。また、リブは電子機器筐体を正常に載置できればよく、リブ以外のものを用いても良い。
【００１７】
以下、従来の構造と対比して、本考案の作用と効果を説明する。
従来構造では電子機器を自充電器に載置すると、自充電器の充電端子と電子機器の受電端子とが接触することによって充電が可能となるが、電子機器を充電器に載置しない状態においては充電端子が露出しており、人体との接触によって充電端子に異物が固着し、充電が不可能となる問題点がある。
【００１８】
これに対し、充電器筐体１１は電子機器非載置状態において、図２にあるとおり、人体との接触から充電端子１４を保護することができる効果がある。
【００１９】
以上説明した通り、本考案によれば、充電器筐体１１に電子機器筐体２１を載置しない場合において、充電端子１５を人体との接触から保護できる充電端子部の構造を提供できる。また、コードレス電話機による本実施例は一例であり、充電端子と受電端子にて充電を行う機構を持つもの、例えば携帯電話、ＬＥＤライト、二次電池の充電機構等に用いても良い。
【符号の説明】
【００２０】
１１    充電器筐体
１２    リブ
１３    端子カバー
１４    孔
１５    充電端子
１６    バネ
２１    電子機器筐体
２２    受電端子
【図１】
0003173185.tif 000003
【図２】
0003173185.tif 000004
【図３】
0003173185.tif 000005
【図４】
0003173185.tif 000006
【図５】
0003173185.tif 000007